【手続補正書】
【提出日】平成20年7月29日(2008.7.29)
【手続補正１】
【補正対象書類名】明細書
【補正対象項目名】特許請求の範囲
【補正方法】変更
【補正の内容】
【特許請求の範囲】
【請求項１】  同一種類の電子部品からなる電子部品群（１０）が群配列をもって形成する複数の種類の上記電子部品群（１０）を電子部品実装機に供給可能に搭載する際における搭載の誤りを検出する部品搭載誤り検出方法において、
上記各電子部品群（１０）による群配列にそれぞれ対応して、上記各電子部品群（１０）を形成する上記各電子部品と同一の電子部品を基準電子部品（１２）として配列された基準回路基板（１１）の中から、搭載される上記電子部品群（１０）の中の１つの電子部品が属する上記群配列に合致した上記基準電子部品（１２）を選択し、
上記１つの電子部品と上記選択された基準電子部品（１２）とを比較し、
上記１つの電子部品と上記選択された基準電子部品（１２）とが同一種類である場合には、上記１つの電子部品が属する上記電子部品群（１０）における上記各電子部品が上記選択された基準電子部品（１２）と同一種類であるとして、搭載に誤り無しと検出し、
上記１つの電子部品と上記選択された基準電子部品（１２）とが同一種類でない場合には、上記１つの電子部品が属する上記電子部品群（１０）における上記各電子部品が上記選択された基準電子部品（１２）と同一種類でないとして、搭載に誤り有りと検出することを特徴とする部品搭載誤り検出方法。
【請求項２】  上記各電子部品群（１０）の上記群配列及び上記基準電子部品（１２）の上記配列は同一の配列情報を備え、上記電子部品群（１０）の中における上記１つの電子部品が属する上記群配列に合致した上記基準電子部品（１２）の選択は、上記１つの電子部品が属する上記群配列の上記配列情報に対応する上記配列情報を備える上記基準電子部品（１２）を選択することにより行われる請求項１に記載の部品搭載誤り検出方法。
【請求項３】  上記１つの電子部品と上記選択された基準電子部品（１２）とを直列回路で電気的に接続し、
上記直列回路に電圧を印加して、上記１つの電子部品間の出力電圧を測定し、
上記測定された出力電圧が上記直列回路に印加した上記電圧の１／２であることにより、上記１つの電子部品が上記選択された基準電子部品（１２）と同一種類であるとする請求項１又は２に記載の部品搭載誤り検出方法。
【請求項４】  複数の種類の電子部品組立体が生産される電子部品実装機において、上記電子部品組立体が上記種類毎に対応する上記各電子部品群（１０）の上記群配列を有する場合であって、
上記群配列毎にそれぞれ対応する上記基準電子部品（１２）が配列された基準回路基板（１１）の中から、上記電子部品実装機において生産される上記電子部品組立体の上記種類に応じて、上記種類に対応する上記群配列に対応した上記基準回路基板（１１）を選択し、
搭載される上記電子部品群（１０）の中の１つの電子部品が属する上記群配列に合致した上記基準電子部品（１２）を、上記選択された基準回路基板（１１）の中から選択する請求項１から３のいずれか１つに記載の部品搭載誤り検出方法。
【請求項５】  上記各種類毎に対応する上記各電子部品群（１０）の上記群配列毎にそれぞれ対応する上記基準電子部品（１２）が配列された共通基準回路基板（１１）における上記各基準電子部品（１２）の上記配列及び上記各電子部品群（１０）の上記群配列が、それぞれ対応する配列情報を備え、
上記電子部品実装機において生産される上記電子部品組立体の上記種類に対応する上記群配列に対応した上記各基準回路基板（１１）は、上記配列情報の組合せにより作製される請求項４に記載の部品搭載誤り検出方法。
【請求項６】  同一種類の電子部品からなる電子部品群（１０）が群配列をもって形成する複数の種類の上記電子部品群（１０）を電子部品実装機の部品供給部（３、４）に供給可能に搭載する際における搭載の誤りを検出する部品搭載誤り検出装置（１、２、１４）において、
上記電子部品実装機に搭載される上記電子部品群（１０）の中の１つの電子部品を着脱可能に取り付ける部品取付部（８、１５）と、
上記部品取付部（８、１５）に取り付けられた上記電子部品と、上記群配列にそれぞれ対応して、上記各電子部品群（１０）を形成する上記各電子部品と同一の電子部品を基準電子部品（１２）として配列された基準回路基板（１１）における上記基準電子部品（１２）とを比較する制御部（１７）とを備え、
上記制御部（１７）は、
上記部品取付部（８、１５）に取り付けられた上記電子部品が属する上記群配列に合致した上記基準電子部品（１２）を上記基準回路基板（１１）上の上記各基準電子部品（１２）の中から選択し、
上記部品取付部（８、１５）に取り付けられた上記電子部品と上記選択された基準電子部品（１２）とを比較し、
上記部品取付部（８、１５）に取り付けられた上記電子部品と上記選択された基準電子部品（１２）とが同一種類である場合には、上記部品取付部（８、１５）に取り付けられた上記電子部品が属する上記電子部品群（１０）における上記各電子部品が上記選択された基準電子部品（１２）と同一種類であるとして、搭載に誤り無しと検出し、
上記部品取付部（８、１５）に取り付けられた上記電子部品と上記選択された基準電子部品（１２）とが同一種類でない場合には、上記部品取付部（８、１５）に取り付けられた上記電子部品が属する上記電子部品群（１０）における上記各電子部品が上記選択された基準電子部品（１２）と同一種類でないとして、搭載に誤り有りと検出することを特徴とする部品搭載誤り検出装置。
【請求項７】  上記各電子部品群（１０）の上記群配列及び上記基準電子部品（１２）の上記配列は同一の配列情報を備え、上記制御部（１７）による上記電子部品群（１０）の中における上記１つの電子部品が属する上記群配列に合致した上記基準電子部品（１２）の選択は、上記１つの電子部品が属する上記群配列の上記配列情報に対応する上記配列情報を備える上記基準電子部品（１２）を選択することにより行われる請求項６に記載の部品搭載誤り検出装置。
【請求項８】  上記部品搭載誤り検出装置（１、２、１４）において、上記制御部（１７）は、上記部品取付部（８、１５）に取り付けられた上記電子部品と上記基準回路基板（１１）上の上記選択された基準電子部品（１２）とを直列回路で電気的に接続する測定用回路基板（１７ａ）をさらに備え、
上記制御部（１７）は、上記測定用回路基板（１７ａ）の上記直列回路に電圧を印加して、上記部品取付部（８、１５）に取り付けられた上記電子部品間の出力電圧を測定し、上記測定された出力電圧が上記直列回路に印加した上記電圧の１／２であることにより、上記部品取付部（８、１５）に取り付けられた上記電子部品が上記選択された基準電子部品（１２）と同一種類であるとする請求項６又は７に記載の部品搭載誤り検出装置。
【請求項９】  複数の種類の電子部品組立体が生産される電子部品実装機において、上記電子部品組立体が上記種類毎に対応する上記各電子部品群（１０）の上記群配列を有する場合であって、
上記部品搭載誤り検出装置（１、２、１４）は、上記群配列毎にそれぞれ対応する上記基準電子部品（１２）が配列された基準回路基板（１１）の中から、上記電子部品実装機において生産される上記電子部品組立体の上記種類に応じて、選択された上記種類に対応する上記群配列に対応した上記基準回路基板（１１）を着脱可能に取付可能な基板取付部（１４ａ）をさらに備え、
制御部（１７）において、上記部品取付部（８、１５）に取り付けられた上記電子部品群（１０）の中の１つの電子部品が属する上記群配列に合致した上記基準電子部品（１２）を、上記選択されて上記基板取付部（１４ａ）に取り付けられた上記基準回路基板（１１）の中から選択する請求項６から８のいずれか１つに記載の部品搭載誤り検出装置。
【請求項１０】  上記種類毎に対応する上記各基準回路基板（１１）に固定される全ての上記基準電子部品（１２）を、上記各基準回路基板（１１）に固定せずに、上記各種類毎に対応する上記各電子部品群（１０）の上記各群配列に対応して配列させて固定した共通基準回路基板（１１）において、上記各基準電子部品（１２）の上記配列及び上記各電子部品群（１０）の上記群配列が、それぞれ対応する配列情報を備え、
上記電子部品実装機において生産される上記電子部品組立体の上記種類に対応する上記群配列に対応した上記各基準回路基板（１１）は、上記配列情報の組合せにより作製される請求項９に記載の部品搭載誤り検出装置。
【請求項１１】  上記部品搭載誤り検出装置（１、２）において、搭載される上記各電子部品の誤りが検出された場合に、上記制御部（１７）による上記誤りの検出を表示可能な表示部（１８）をさらに備えるとともに、
上記制御部（１７）は、
上記電子部品実装機における生産される上記電子部品組立体の上記種類を切替える際、上記電子部品実装機に搭載された上記電子部品群（１０）の電子部品切れの際、又は上記電子部品実装機を可動させる際に、部品搭載誤り検出作業開始を上記表示部（１８）に表示し、
上記部品搭載誤り検出作業中において、搭載される電子部品に誤りが検出された場合に、上記部品取付部（８、１５）に取り付けられた上記電子部品が属する電子部品群（１０）を別の電子部品群（１０）と交換し、上記別の電子部品群（１０）の中の１つの電子部品を上記部品取付部（８、１５）に取り付け、搭載される電子部品に誤りが検出されなくなるまで、上記部品搭載誤り検出作業を繰り返して行って上記電子部品実装機を稼動させない請求項６から１０のいずれか１つに記載の部品搭載誤り検出装置。